(57)【要約】      （修正有）【課題】名前の記載された紙を変更することが容易な名札入れを着脱自在、かつ、強固に噛合させることができるとともに、衣服に突き刺すことなく留めることができ、また、名札入れにピンが一体化しているものを使用する場合にもピンの針先を利用せずに使用できる名札留めを提供する。【解決手段】衣服を挟持する挟持部材２０と、挟持部材２０に対して回動自在に軸支され、名札入れ３を噛合する噛合部材１０と、を備え、噛合部材１０は、噛合部材本体１１と押圧体１２とからなり、噛合部材本体１１は、全体形状が下端に向かって表側噛合部と裏側噛合部との二叉状に形成される。押圧体１２は、表側噛合部に回動自在に軸支され、裏側噛合部に対向して名札入れ３の表面側を押圧するものである。【選択図】図１
0003219823.tif 000002
【実用新案登録請求の範囲】
【請求項１】
衣服を挟持する挟持部材と、該挟持部材に対して回動自在に軸支され、名札入れを噛合する噛合部材と、を備えてなり、
前記噛合部材は、全体形状が下端方向から名札入れを挿入可能となるよう表側噛合部と裏側噛合部との二叉状となる噛合部材本体と、前記表側噛合部に回動自在に軸支される押圧体と、を有し、
前記裏側噛合部は、名札入れの裏面を押圧する第一の歯部を有し、
前記押圧体は、名札入れの上端付近を切り込む第二の歯部と、名札入れの上端付近を押圧する第三の歯部と、を有することを特徴とする名札留め。
【請求項２】
挟持部材は、衣服を挟持するための挟持部材本体と、該挟持部材本体の軸部に回動自在に軸支される挟持体と、該挟持体及び前記挟持部材本体の両内周面側に配設された摩擦体と、を有することを特徴とする請求項１記載の名札留め。
【請求項３】
第一の歯部は、噛合部材本体から押圧体までの幅の３分の１程度の高さで突出した略四角錐状に形成され、
第二の歯部は、噛合部材本体から押圧体に近接するまで突出した略四角錐状に形成され、
第三の歯部は、噛合部材本体から押圧体までの幅の３分の２の高さより高い略四角錐状に形成されることを特徴とする請求項１記載の名札留め。
【請求項４】
噛合部材は、水平方向両側を開放され、第一の歯部と第二の歯部との間にピンを載置し得る程度の隙間からなる挿通領域を有し、
前記第二の歯部の上面部は先端からみて上昇傾斜することを特徴とする請求項１又は３のいずれか一項に記載の名札留め。
【考案の詳細な説明】
【技術分野】
【０００１】
本考案は、衣服に名札を留めるための名札留めであり、特に児童が使用しやすい名札留めに関する。
【背景技術】
【０００２】
従来、小学生等の児童が使用する名札は、主にビニール材等からなる柔軟なケースに名前が記載された紙を差し込んであり、衣服に突き刺すピンが名札入れに固定されたものや、名前が記載されたプレートが衣服の一部を挟むクリップに一体型のものが一般的に用いられている。
【考案の概要】
【考案が解決しようとする課題】
【０００３】
しかしながら、名前の記載された紙を変更することは容易である一方で、差し込む名札入れを衣服にピンで固定すると衣服に穴を開けて傷めてしまう欠点を有するものである。また、ピンを使って着脱するものは児童にとって危険を生じる可能性がある。一方で名札入れにピンが一体化しているものもあるため、この名札入れを使用する場合にもピンの針先を利用せずに使用できる名札留めが望まれていた。
【０００４】
本考案は、名前の記載された紙を変更することが容易な名札入れを着脱自在、かつ、強固に噛合させることができるとともに、衣服に突き刺すことなく留めることが可能な名札留めを提供することを目的とする。また、従来のピン付き名札入れのピンを介しても装着し得る汎用性のある名札留めを提供することも目的とする。
【課題を解決するための手段】
【０００５】
上記課題に鑑み、本考案は、衣服を挟持する挟持部材と、該挟持部材に対して回動自在に軸支され、名札入れを噛合する噛合部材と、を備えてなり、
前記噛合部材は、全体形状が下端方向から名札入れを挿入可能となるよう表側噛合部と裏側噛合部との二叉状となる噛合部材本体と、前記表側噛合部に回動自在に軸支される押圧体と、を有し、
前記裏側噛合部は、名札入れの裏面を押圧する第一の歯部を有し、
前記押圧体は、名札入れの上端付近を切り込む第二の歯部と、名札入れの上端付近を押圧する第三の歯部と、を有することを特徴とするものである。
【０００６】
また、上述した構成に加え、挟持部材は、衣服を挟持するための挟持部材本体と、該挟持部材本体の軸部に回動自在に軸支される挟持体と、該挟持体及び前記挟持部材本体の両内周面側に配設された摩擦体と、を有することを特徴とするものである。
【０００７】
また、上述した構成に加え、第一の歯部は、噛合部材本体から押圧体までの幅の３分の１程度の高さで突出した略四角錐状に形成され、
第二の歯部は、噛合部材本体から押圧体に近接するまで突出した略四角錐状に形成され、
第三の歯部は、噛合部材本体から押圧体までの幅の３分の２の高さより高い略四角錐状に形成されることを特徴とするものである。
【０００８】
また、上述した構成に加え、噛合部材は、水平方向両側を開放され、第一の歯部と第二の歯部との間にピンを載置し得る程度の隙間からなる挿通領域を有し、
前記第二の歯部の上面部は先端からみて上昇傾斜することを特徴とするものである。
【考案の効果】
【０００９】
請求項１−３記載の考案によれば、名札留めの噛合部材によって、名札入れ上端付近を波状に変形させながら、第二の歯部で切り込むことで、名札入れを着脱自在のまま強固に噛合させることができ、また、この噛合部材を回動自在に軸支する挟持部材によって衣服に突き刺すことなく名札入れを留めることが可能である。
【００１０】
請求項４記載の考案によれば、名札入れに衣服に刺し込むためのピンが装着されていた場合にも、当該ピンを介して名札留めを保持することも可能である。
【図面の簡単な説明】
【００１１】
【図１】本考案の実施形態の名札留めの一例を示す斜視図である。
【図２】図１の(a)正面図、及び、(b)中央縦断面図である。
【図３】図１の噛合部材の開放状態を示す(a)正面図、及び、(b)側面図である。
【図４】図２の噛合部材を示す拡大断面図である。
【図５】本実施形態の名札留めに名札入れを噛合させるための押圧体の回動動作を示す概念図であり、(a)開放状態、(b)途中状態、及び、(c)噛合状態を示すものである。
【図６】本実施形態の名札留めの挟持部材を衣服に挟持させる挟持体の回動動作を示す概念図であり、(a)開放状態、及び、(b)挟持状態を示すものである。
【図７】本実施形態の名札留めにピン付きの名札入れを取付けた状態を示す(a)正面図、 (b)中央縦断面図及び挿通領域周辺の拡大断面図である。
【考案を実施するための形態】
【００１２】
本考案の実施形態に係る名札留めの一例について図１−４に基づいて詳細に説明する。なお、図１に示す名札２の長手方向を上下方向、名札の長手方向と直交する方向を水平方向とする。
【００１３】
(実施形態)
名札留め１は、図１に示すように、衣服４（図6参照）を挟持する挟持部材２０と、この挟持部材２０に対して前方に突出する略円筒状の凸部２１ｃを軸として回動自在に軸支され、名札入れ３を噛合する噛合部材１０と、からなるものである。
【００１４】
噛合部材１０は、図２（ａ）に示すように、噛合部材本体１１と押圧体１２とからなる。図２（ｂ）に示すように、側面視において、噛合部材本体１１は、全体形状が下端に向かって表側噛合部１１ａと裏側噛合部１１ｂとの二叉状に形成される。裏側噛合部１１ｂは名札入れ３の上端付近を差し込んで名札入れ３の裏面側を押圧し、表側噛合部１１ａは裏側噛合部１１ｂに対向して名札入れ３の表面側を押圧するように回動自在に軸支される押圧体１２を有する。
【００１５】
噛合部材本体１１は、図２−４に示すように、複数突出した先端の鋭利な第一の歯部１１ｃ、１１ｃを中央付近よりやや下方に一列に複数配設したものであり、本実施形態では３つ配設する。第一の歯部１１ｃ、１１ｃは、裏側噛合部１１ｂから表側噛合部１１ａまでの幅ｗの３分の１程度の高さｈ1で突出して形成される。この第一の歯部１１ｃ、１１ｃの突出した高さｈ1は、押圧体１２の回動動作において、後述する押圧体１２の第二の歯部１２ａ、１２ａと接触しない程度の長さにしつつ、名札入れ３を両面側から噛合させるようにしたものである。
【００１６】
第一の歯部１１ｃ、１１ｃは、後述する押圧体１２の第二の歯部１２ａ、１２ａと第三の歯部１２ｂ、１２ｂとの間に位置するように配設され、先端から見て仰角β1を５度で上昇傾斜する上面部と、俯角α1を４０度で下降傾斜する下面部とからなる略四角錐状に形成されるものである。
【００１７】
また、噛合部材本体１１は、図２(b)に示すように、上端付近において後述する挟持部材２０の略円筒状の凸部２１ｃに遊嵌合し得る開口部１１ｄを有する。この開口部１１ｄに挟持部材２０の凸部２１ｃを回動可能に軸支することで、噛合部材１０に名札入れ３を噛合させる方向と挟持部材２０に衣服４を挟持させる方向とが異なるようにすることができる。
【００１８】
押圧体１２は、図２−４に示すように、略方形平坦状であり、表側噛合部１１ａの先端に軸支される水平方向に突出する軸部１２ｃと、この軸部１２ｃ近傍から裏側噛合部１１ｂの方向に一列に複数突出した先端の鋭利な略四角錐状の第二の歯部１２ａ、１２ａと、中央付近で一列に複数突出した先端の鋭利な略四角錐状の第三の歯部１２ｂ、１２ｂと、を有するものである。本実施形態では第二の歯部１２ａ、１２ａと第三の歯部１２ｂ、１２ｂはいずれも３つずつである。また、この押圧体１２は、下端の軸部１２ｃと反対側の上端位置に裏側噛合部１１ｂに係止する係止片１２ｄを有するものである。
【００１９】
第二の歯部１２ａ、１２ａは、裏側噛合部１１ｂに近接する位置まで突出している。つまり、第二の歯部１２ａ、１２ａの先端までの高さh2を裏側噛合部１１ｂから表側噛合部１１ａまでの幅ｗと同じ又はそれ以下で、押圧体１２の回動に支障が生じないように形成されものである。この第二の歯部１２ａ、１２ａは、先端が鋭利となるように、先端から見て上面部が一定の仰角β2を１５度で上昇傾斜するものであり、下面部が一定の俯角α2を３０度で下降傾斜するように形成されるものである。
【００２０】
第三の歯部１２ｂ、１２ｂは、先端までの高さｈ3を裏側噛合部１１ｂから表側噛合部１１ａまでの幅ｗの３分の２の高さより高く、５分の４程度の高さを有する。上述した第二の歯部１２ａ、１２ａと同様に、先端から見て上面部は仰角β3を１５度で上昇傾斜し、下面部が俯角α3を３０度で下降傾斜するように形成されるものである。
【００２１】
挟持部材２０は、図２、図３に示すように、衣服４を挟持するための挟持部材本体２１と、水平方向の軸部２２ａにより挟持部材本体２１に回動自在に軸支される挟持体２２と、該挟持体２２及び挟持部材本体２１の両内周面側の配設された摩擦体２３と、を有するものである。また、この挟持部材本体２１は、上述した噛合部材本体１１の開口部１１ｄに遊嵌合するために下端付近に略円柱状の凸部２１ｃを有し、回動可能にするものである。
【００２２】
挟持体２２は、該挟持体２２の外周面側から水平方向に突出する軸部２２ｃと、短辺部及び長辺部からなる断面略L字状の操作部２２ｂと、を有するものである。この操作部２２ｂは水平方向に突出する軸部２２ｃにより回動操作することで、挟持体２２を挟持部材本体２１に対向する方向に回動させるように追随させることができる。また、挟持部材本体２１と挟持体２２とを略平行となるように対向させて衣服４を挟持した後に、さらに操作部２２ｂの長辺部を回動させることで、操作部２２ｂにおける略L字状の短辺部の先端２２ｄが挟持部材本体２１の摺接面２１ａに摺接しながら回動し、挟持部材本体２１の摺接面２１ａに対して略垂直方向に至るまで回動したときに、挟持体２２の回動動作を摩擦抵抗によって停止させるロック機構を有するものである。また、この摺接面２１ａは、短辺部の丸みを帯びた先端２２ｄに対し滑らかな回動動作をし得るように適宜の摩擦抵抗を付与するために縦方向の複数の凹凸部分２１ｂ、２１ｂを有するものである。
【００２３】
摩擦体２３は、図２(b)、図６に示すように、衣服４を傷つけずに挟持し得るように、弾性の合成樹脂材（例えば、シリコン樹脂材等）を主体として一枚板状に形成され、該上面には断面鋸歯状の凸面を有するものである。
【００２４】
次に、上述した名札留め１の使用方法について図５−７に基づいて詳細に説明する。このとき、噛合部材１０の押圧体１２は、図５に示すように、噛合部材本体１１に対向する方向に回動させることで、噛合部材本体１１の第一歯部１１ｃ、１１ｃと、押圧体１２の第二の歯部１２ａ、１２ａと、が名札入れ３の厚みよりも狭まるように接近して、第二の歯部１２ａ、１２ａが名札入れ３の表面に切り込むとともに、第三の歯部１２ｂ、１２ｂが、名札入れ３の先端を噛合部材本体１１の裏側噛合部１１ｂに押し当てるようにする（図５(b)参照）。それによって、名札入れ３の先端付近を波状に湾曲させながら、第二の歯部１２ａ、１２ａで名札入れ３の表面を切り込むことで、名札入れ３を強固に噛合させることが可能である（図５(c)参照）。
【００２５】
また、挟持部材２０は、図６に示すように、この操作部２２ｂを押圧して回動操作することで、挟持体２２を挟持部材本体２１に対向する方向に回動させるように追随させる。そして、挟持体２２と挟持部材本体２１とを略平行となるように対向して衣服４を挟持させた後に、さらに操作部２２ｂを回動させることで、操作部２２ｂにおける略L字状の短辺部の先端２２ｄが挟持部材本体２１の摺接面２１ａに摺接し、摩擦抵抗によってロックする（図６(b)参照）。
【００２６】
また、図７に示すように、本実施形態の噛合部材１０は名札入れ３の上端付近を噛み合わせて噛合する他、名札入れ３に衣服４に差し込むためのピン５が装着されていた場合には、当該ピン５を利用して保持することも可能である。すなわち、一列に複数の突出した第二の歯部１２ａ、１２ａが噛合部材本体１１に近接する位置まで至っており、噛合部材本体１１の両側方が開放された挿通領域Aを有するから、第二の歯部１２ａ、１２ａの上面部にピン５を載置させるように挿通することができる。このとき、第二の歯部１２ａ、１２ａの上面部が先端から見て上昇傾斜していることから、使用者の静止時にピン５はその先端付近に位置することとなる。さらに第二の歯部１２ａ、１２ａの上方に位置する第一の歯部１１ｃ、１１ｃは下面部が傾斜していることから、使用している児童が運動したとしても、上下に揺れ動くピン５を第一の歯部１１ｃ、１１ｃの下面部が叩き落とすように作用する。これにより、名札入れ３の揺れを抑えることでき、名札入れ３がピン５なしに噛み合わせて保持する態様か、ピン５を利用して挿通して保持する態様かを選択して利用することが可能になる。
【符号の説明】
【００２７】
１…名札留め、２…名札、３…名札入れ、４…衣服、５…ピン、
１０…噛合部材、
１１…噛合部材本体、１１ａ…表側噛合部、１１ｂ…裏側噛合部、１１ｃ…第一の歯部、１１ｄ…開口部、
１２…押圧体、１２ａ…第二の歯部、１２ｂ…第三の歯部、１２ｃ…軸部、１２ｄ…係止片、
２０…挟持部材、
２１…挟持部材本体、２１ａ…摺接面、２１ｂ…凹凸部分、２１ｃ…凸部、
２２…挟持体、２２ａ…軸部、２２ｂ…操作部、２２ｃ…軸部、２２ｄ…短辺部の先端、
２３…摩擦体、
A…挿通領域、
h1…第一の歯部の高さ、α1…第一の歯部の俯角、β1…第一の歯部の仰角、
h2…第二の歯部の高さ、α2…第二の歯部の俯角、β2…第二の歯部の仰角、
h3…第三の歯部の高さ、α3…第三の歯部の俯角、β3…第三の歯部の仰角、
ｗ…幅。
【図１】
0003219823.tif 000003
【図２】
0003219823.tif 000004
【図３】
0003219823.tif 000005
【図４】
0003219823.tif 000006
【図５】
0003219823.tif 000007
【図６】
0003219823.tif 000008
【図７】
0003219823.tif 000009